【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
筆記用組立体であって、
第１端部と反対側の第２端部とを有し、かつ第１端部からマーキング先が延在する筆記具と、
レセプタクルが形成される第１端部と第２端部とを有するキャップであって、第１保管状態において筆記具の第１端部がキャップのレセプタクル内に配置され、かつ、第２使用状態において筆記具の第２端部がキャップのレセプタクル内に配置されるキャップと、
キャリアとキャリアに取り付けられる消去材料とを含み、かつキャリアがキャップの第２端部に取り付けられる、キャップとは別個の消去組立体とを備え、
前記キャップ及びキャリアそれぞれは、これらに形成された一組の軸方向に向く面の一方を有し、
消去組立体がキャップに取り付けられるとキャップの軸方向に向く面がキャリアの軸方向に向く面と隣接し、また、キャップの軸方向に向く面がキャリアの軸方向に向く面よりもキャップの第１端部から更に軸方向に配置される筆記用組立体。
【請求項２】
前記キャップは、リブが形成されたポストを有し、該リブがキャップに形成された前記軸方向に向く面を形成し、
キャリアは開口を規定する縁を有し、該縁がキャリアに形成された前記軸方向に向く面を形成し、
消去組立体がキャップに取り付けられると、ポストの少なくともリブが形成された部分がキャリアの開口を通って配置され、リブ及び縁が形成する軸方向に向く面が隣接して、消去組立体とキャップの互いに対する移動を制限する請求項１に従う筆記用組立体。
【請求項３】
前記キャップ及びキャリアの一方は、前記一組の軸方向に向く面の一方を形成する溝を有し、キャップ及びキャリアの他方は、前記一組の軸方向に向く面の他方を形成するリブを有し、
消去組立体がキャップに取り付けられるとリブが溝内に配置され、リブ及び溝が形成する軸方向に向く面が隣接して、消去組立体とキャップの互いに対する移動を制限する請求項１に従う筆記用組立体。
【請求項４】
前記キャップは、キャップの第２端部から延在するポストを有し、該ポストは、リブが形成される面を有し、
キャリアは、レセプタクルを規定する内側面を有する壁を備え、かつ該内側面に形成された溝を有し、
キャリアがキャップに取り付けられるとポストがレセプタクル内に配置され、かつリブが溝内に配置される請求項３に従う筆記用組立体。
【請求項５】
前記キャップは、キャップの第１端部から第２端部に向かって延在する環状壁であって、ある有効径と前記溝が形成される半径方向外側面とを有する環状壁を有し、
キャリアは、キャップの前記有効径よりも大きい有効径と、前記リブが形成された半径方向内側に向く面とを有する環状壁を有し、
キャリアがキャップに取り付けられると、キャップの環状壁がキャリアの環状壁内に配置され、かつキャリアのリブがキャップの溝内に配置される請求項３に従う筆記用組立体。
【請求項６】
前記キャップは、キャップの第２端部から延在するポストを備え、
キャリアは、キャリアに形成された開口を有し、キャリアがキャップの第２端部に取り付けられるとポストが開口を通って受け入れられる請求項１に従う筆記用組立体。
【請求項７】
前記ポストは、ポストの外側面に形成されたリブを有し、
キャリアは、開口を規定する縁を有し、
消去組立体がキャップの第２端部に取り付けられるとリブと縁は隣接して、消去組立体とキャップの互いに対する移動を制限する請求項６に従う筆記用組立体。
【請求項８】
前記キャリアは、中央ボスと中央ボスから半径方向外側に延在するフランジとを有する壁を備え、
前記ボスは、前記開口が規定する開放端部と、開放端部とは反対側の閉鎖端部とを有し、
キャリアは、前記開口の周りに形成された該開口を規定する縁を有し、
ポストのリブとキャリアの縁は隣接して、消去組立体とキャップの互いに対する移動を制限する請求項７に従う筆記用組立体。
【請求項９】
前記キャリアは、第１側部と反対側の第２側部とを有し、前記開口はキャリアの第１側部に形成され、消去材料はキャリアの第２側部に配置される請求項８に従う筆記用組立体。
【請求項１０】
前記消去材料は、発砲体、フェルト、布及びスポンジからなる消去材料群から選択される請求項１に従う筆記用組立体。
【請求項１１】
前記筆記具はホワイトボードマーカーである請求項１に従う筆記用組立体。
【請求項１２】
筆記用組立体であって、
第１端部と反対側の第２端部とを有し、かつ第１端部からマーキング先が延在する筆記具と、
レセプタクルが形成される第１端部と第２端部とを有するキャップであって、第１保管状態において筆記具の第１端部がキャップのレセプタクル内に配置され、
かつ、第２使用状態において筆記具の第２端部がキャップのレセプタクル内に配置されるキャップと、
キャリアとキャリアに取り付けられる消去材料とを含み、かつキャリアがキャップの第２端部に取り付けられる消去組立体とを備え、
前記キャップ及びキャリアそれぞれは、これらに形成された一組の軸方向に向く面の一方を有し、消去組立体がキャップに取り付けられると、キャップの軸方向に向く面がキャリアの軸方向に向く面と隣接し、また、キャップの軸方向に向く面がキャリアの軸方向に向く面よりもキャップの第１端部から更に軸方向に配置される筆記用組立体。
【請求項１３】
前記キャップは、リブが形成されたポストを有し、該リブがキャップに形成された前記軸方向に向く面を形成し、
キャリアは開口を規定する縁を有し、該縁がキャリアに形成された前記軸方向に向く面を形成し、
消去組立体がキャップに取り付けられると、ポストの少なくともリブが形成された部分がキャリアの開口を通って配置され、リブ及び縁が形成する軸方向に向く面が隣接して、消去組立体とキャップの互いに対する移動を制限する請求項１２に従う筆記用組立体。
【請求項１４】
前記キャップ及びキャリアの一方は、前記一組の軸方向に向く面の一方を形成する溝を有し、キャップ及びキャリアの他方は、前記一組の軸方向に向く面の他方を形成するリブを有し、
消去組立体がキャップに取り付けられるとリブが溝内に配置され、リブ及び溝が形成する軸方向に向く面が隣接して、消去組立体とキャップの互いに対する移動を制限する請求項１２に従う筆記用組立体。
【請求項１５】
前記キャップは、キャップの第２端部から延在するポストを有し、該ポストは、リブが形成される面を有し、
キャリアは、レセプタクルを規定する内側面を有する壁を備え、かつ該内側面に形成された溝を有し、
キャリアがキャップに取り付けられるとポストがレセプタクル内に配置され、かつリブが溝内に配置される請求項１４に従う筆記用組立体。
【請求項１６】
前記キャップは、キャップの第１端部から第２端部に向かって延在する環状壁であって、ある有効径と前記溝が形成される半径方向外側面とを有する環状壁を有し、
キャリアは、キャップの前記有効径よりも大きい有効径と、前記リブが形成された半径方向内側に向く面とを有する環状壁を有し、
キャリアがキャップに取り付けられると、キャップの環状壁がキャリアの環状壁内に配置され、かつキャリアのリブがキャップの溝内に配置される請求項１４に従う筆記用組立体。
【請求項１７】
筆記用組立体であって、
第１開放端部と反対側の第２閉鎖端部とを有し、かつ第１開放端部からマーキング先が延在するホワイトボードマーカーと、
レセプタクルが形成される第１端部と、そこからリブが形成されたポストが延在する第２端部とを有するキャップであって、第１保管状態においてホワイトボードマーカーの第１端部がキャップのレセプタクル内に配置され、かつ、第２使用状態においてホワイトボードマーカーの第２端部がキャップのレセプタクル内に配置されるキャップと、
キャリアとキャリアに取り付けられる消去材料とを含む消去組立体であって、キャリアが、縁が規定する中央開口と中央開口から半径方向外側に延在するフランジとを有する壁を備える消去組立体とを備え、
消去組立体がキャップに取り付けられると、キャップのポストがキャリアの中央開口を通って配置され、ポストのリブとキャリアの縁が隣接して、消去組立体とキャップの互いに対する移動を制限する筆記用組立体。
【請求項１８】
前記キャリアは、第１側部と反対側の第２側部とを有し、キャリアの第１側部はキャップに対面し、消去材料はキャリアの第２側部に配置される請求項１７に従う筆記用組立体。
【請求項１９】
前記消去材料は、発砲体、フェルト、布及びスポンジからなる消去材料群から選択される請求項１７に従う筆記用組立体。